(57)【要約】  弾性検出プローブであって、該弾性検出プローブはプローブ本体（1）と、プローブ本体（1）のオンオフを制御するための制御スイッチ（3）とを備え、プローブ本体（1）と制御スイッチ（3）は分離して設置され、プローブ本体（1）と制御スイッチ（3）は電気的に接続又は無線接続される。プローブ本体（1）と制御スイッチ（3）が分離して設置されることによって、操作者は両手以外の部位によりプローブ本体（1）をオンオフするように制御スイッチ（3）を制御することができる。これにより、制御スイッチ（3）をオンするときに生じるプローブ本体（1）の変位が防止され、検出の精度が向上する。
2017528222.tif 000002
【特許請求の範囲】
【請求項１】
弾性検出プローブであって、プローブ本体と、プローブ本体のオンオフを制御するための制御スイッチとを備え、プローブ本体と制御スイッチは分離して設置され、前記プローブ本体と制御スイッチは電気的に接続又は無線接続される、弾性検出プローブ。
【請求項２】
前記制御スイッチは機械的スイッチである、請求項1に記載の弾性検出プローブ。
【請求項３】
前記機械的スイッチは足踏みスイッチである、請求項2に記載の弾性検出プローブ。
【請求項４】
前記制御スイッチはセンサである、請求項1に記載の弾性検出プローブ。
【請求項５】
前記制御スイッチは光制御スイッチである、請求項4に記載の弾性検出プローブ。
【請求項６】
制御システムとディスプレイをさらに備え、前記制御システムは、プローブ本体の運動状態パラメータを収集してディスプレイに表示することに用いられる、請求項1〜5のいずれか一項に記載の弾性検出プローブ
【請求項７】
前記制御スイッチは音制御スイッチである、請求項4に記載の弾性検出プローブ。
【請求項８】
記憶装置とプロセッサーを含む制御システムをさらに備え、前記記憶装置には予め録音された複数の音声クリップが記憶され、各音声クリップは１つの制御命令に対応し、前記音制御スイッチは音声クリップを収集することに用いられ、前記プロセッサーは、音制御スイッチにより収集された音声クリップを記憶装置に記憶されている音声クリップと比較し、前記収集された音声クリップが記憶装置に記憶されているある音声クリップと一致するとき、対応する制御命令をプローブ本体に発行することに用いられる、請求項7に記載の弾性検出プローブ。
【請求項９】
前記制御システムは、プローブ本体の運動状態パラメータを収集するためのセンサ又はカメラをさらに備え、前記弾性検出プローブは、プローブ本体の前記運動状態パラメータを表示するためのディスプレイをさらに備える、請求項8に記載の弾性検出プローブ。
【発明の詳細な説明】
【技術分野】
【０００１】
本発明は医療用機器技術の分野に関し、特に弾性検出プローブに関する。
【背景技術】
【０００２】
弾性測定は医学分野で非常に重要である。例えば、肝臓弾性の非侵襲的検出により、肝臓疾患をモニタリングし評価することができるため、効果的な処置がタイムリーに取られる。従来技術では、全てのプローブのオンオフを制御するスイッチがプローブに設けられる。弾性検出を行うとき、既存の方式は、操作者が手でプローブを持って検出を行い、プローブを検出領域に移動してから、プローブをオンするようにスイッチを操作して検出を行う。スイッチがプローブに設けられる設置方式により、スイッチをオンするとき、プローブの角度と位置が変化して、プローブの測定する位置を角度が当初に選定された位置と角度でなくなり、かつ毎回の測定される位置と角度が異なる。このような計算法により計算された弾性率は真値からずれ、測定結果の安定性と正確性に影響を及ぼす。一方、スタートスイッチがプローブに設けられるため、操作者は手でプローブを支えると同時に、手でスタートスイッチを複数回押す必要があり、操作の難易度が増加する。不便な操作は、測定時間を延長し、患者の待ち時間を増加させ、医師の作業効率に影響を与える。また、スイッチをオンすることがプローブを持ち姿勢にある程度の影響を与え、操作者に間違った操作習慣を形成させ易くなる。
【発明の概要】
【発明が解決しようとする課題】
【０００３】
本発明は、従来技術における検出プローブがスイッチオンする際にその位置が移動する問題を解決する弾性検出プローブを提供する。
【課題を解決するための手段】
【０００４】
本発明の技術手段は、以下のように実現される。
【０００５】
本発明は、プローブ本体と、プローブ本体のオンオフを制御するための制御スイッチとを備え、プローブ本体と制御スイッチが分離して設置され、プローブ本体と制御スイッチが電気的に接続又は無線接続される弾性検出プローブを提供する。
【０００６】
さらに、制御スイッチは機械的スイッチであり、好ましくは足踏みスイッチである。
【０００７】
さらに、制御スイッチはセンサであり、好ましくは音制御スイッチ又は光制御スイッチである。
【０００８】
さらに、前記弾性検出プローブは、制御システムとディスプレイをさらに備え、前記制御システムは、プローブ本体の運動状態パラメータを収集してディスプレイに表示することに用いられる。
【０００９】
さらに、前記制御スイッチが音制御スイッチである場合、前記制御システムは、記憶装置とプロセッサーを含む。前記記憶装置には予め録音された複数の音声クリップが記憶され、各音声クリップは１つの制御命令に対応し、前記音制御スイッチは音声クリップを収集することに用いられ、前記プロセッサーは、音制御スイッチにより収集された音声クリップを記憶装置に記憶されている音声クリップと比較し、前記収集された音声クリップが記憶装置に記憶されているある音声クリップと一致するとき、対応する制御命令をプローブ本体に発行することに用いられる。
【発明の効果】
【００１０】
本発明の弾性検出プローブは、プローブ本体と制御スイッチが分離して設置されることによって、操作者は両手以外の部位によりプローブ本体をオンオフするように制御スイッチを制御することができる。これにより、制御スイッチをオンするときに生じるプローブ本体の変位が防止され、検出の精度が向上する。
【００１１】
本発明の実施例あるいは従来技術の技術的手段を更に詳細に説明するため、下記では実施例あるいは従来技術の説明に必要な図面を用いて簡単に説明する。当然のことながら、下記の説明における図面は本発明のいくつかの実施例のみであり、当該分野の当業者にとって、創造的労働を果たさない前提で、これらの図面に基づいて更に他の図面を得ることができる。
【図面の簡単な説明】
【００１２】
【図１】本発明の弾性検出プローブの実施例の構造模式図である。
【図２】本発明の他の弾性検出プローブの実施例の構造模式図である。
【発明を実施するための形態】
【００１３】
以下では、本発明の実施形態に係る添付図面を参照しながら、本発明の実施形態に係る技術的解決手段を明確かつ完全に説明する。当然ながら、ここで説明する実施形態は本発明の諸実施形態の全てではなく一部にすぎない。当業者が創造的な作業なしに本発明の諸実施形態に基づいて得られる他の全ての実施形態は、本発明の保護範囲に含まれるべきである。
【００１４】
本実施例の弾性検出プローブは、プローブ本体と制御スイッチを備える。プローブ本体と制御スイッチは電気的に接続又は無線接続され、制御スイッチとプローブ本体は分離して設置され、プローブ本体と制御スイッチは電気的に接続又は無線接続される。つまり、プローブ本体には制御スイッチが設置されていない。本実施例の弾性検出プローブは、プローブ本体と制御スイッチが分離して設置されることによって、操作者は両手以外の部位によりプローブ本体をオンオフするように制御スイッチを制御することができる。これにより、制御スイッチをオンするときに生じるプローブ本体の変位が防止され、検出の精度が向上する。
【００１５】
本実施例における制御スイッチは、機械的スイッチ又は誘導式スイッチであってもよい。機械的スイッチが用いられる場合、該機械的スイッチは足踏み式とすることが好ましい。足踏みスイッチの設計は、プローブ本体を操作する両手が弾性測定中に他の装置を操作できず、体の他の部位だけで制御スイッチを操作できることを考慮して選択される。同時に、正確性と利便性の要素や、検出中の操作者の座位姿勢を考慮して、最終的に操作者の足元にスイッチを設置して足踏みスイッチを形成することが決定される。足踏みスイッチを使用することにより、操作者が簡単にスイッチを操作することができる。タッチでオンにするスイッチであっても、押し続ける必要があるスイッチであっても、操作者は足を使って、プローブ本体をオン又はオフするように、制御スイッチの操作を迅速かつ正確に完了することができる。
【００１６】
上記の機械的スイッチは、誘導式スイッチで置き換えることができ、例えば、前記制御スイッチとしてセンサが使用されてもよい。図1に示すように、誘導式スイッチが使用された好適な実施形態では、前記制御スイッチ3として音制御スイッチを使用してプローブ本体1のオンオフを制御することができる。音制御スイッチが使用される場合、ユーザの幾つかの音声クリップが録音されて制御システム2の記憶装置21に記憶され、制御システム2のプロセッサー22により音声クリップの対応する音波情報が生成される。音声クリップと音波情報は１対１で対応し、それぞれの音波情報は１つの機能命令に対応し、複数組の音波情報は一緒に操作プローブ本体1の命令セットを構成する。操作者がプローブ本体1を操作するとき、該操作命令と一致する音波情報に対応する音声クリップを出せば良い。音センサ、即ち制御スイッチ3は、操作者からの音声クリップを収集して制御システム2のプロセッサー22に伝送する。次に、プロセッサー22は、収集された音声クリップを記憶装置21に記憶されている音声クリップと比較する。比較により、操作者からの音声クリップは記録されている音声クリップと一致することが認定されると、プロセッサー22は対応する控制指令をプローブ本体1に発行して、該音声クリップから変換された音波情報に対応する機能を開始し、一回の音制御を完了する。上記の音制御スイッチは、光制御スイッチで置き換えることができ、光制御スイッチと音制御スイッチの動作原理は同じである。なお、図１では、制御システム2がプローブ本体1と制御スイッチ3から独立した部材として描かれているが、制御システム2はプローブ本体1の一部又は制御スイッチ3の一部とすることができ、上記変更の方式は本発明の保護範囲内に含まれることは、当業者であれば理解できることである。制御スイッチ3として誘導式スイッチを使用することにより、操作者はプローブ本体1の制御に注意を払うことが容易になると同時に、操作者は制御スイッチ3を操作することが容易になり、操作者の作業効率を大幅に向上させることができる。
【００１７】
また、図2に示すように、操作者がプローブ本体1の運動状態をより直感的に理解し易くするために、制御システム2は、例えばセンサ、カメラなどによりプローブ本体1の運動状態パラメータをリアルタイムで収集し、制御システム2に接続されたディスプレイ4にこれらのパラメータを反映する。操作者は、ディスプレイ4に表示されたパラメータを観察することにより、プローブ本体1の運動状態をはっきりと把握することができる。同様に、図2において、プローブ本体1、制御システム2、制御スイッチ3及びディスプレイ4はそれぞれ独立した部材として描かれているが、具体的な実施において、プローブ本体1と制御スイッチ3が分離して設置されることを保証すれば、２つ以上の部品が一体化されてもよい。
【００１８】
上述は本発明の好適な実施形態に過ぎず、本発明はこれに限定されるものでなく、本発明の精神および原則内に属する限り、行われるすべての修正、同等の置き換え、改善などは、いずれも本発明の保護範囲内に含まれるべきである。
【符号の説明】
【００１９】
1 プローブ本体
2 制御システム
21 記憶装置
22 プロセッサー
3 制御スイッチ
4 ディスプレイ
【図１】
2017528222.tif 000003
【図２】
2017528222.tif 000004
【国際調査報告】
2017528222.tif 000005
2017528222.tif 000006
2017528222.tif 000007
2017528222.tif 000008
2017528222.tif 000009
2017528222.tif 000010